(57)【要約】【課題】  編集時に最低限必要な長さを容易に知る映像処理装置を提供することを目的とする。【解決手段】  映像を入力（３０２）し、入力された映像から映像情報を取得（３０４）し、取得された映像情報に基づいて推奨撮影時間を取得（３０５）し、取得された推奨撮影時間に基づく情報を提示（３０６）する。【選択図】  図３
2013055408.tif 000002
【特許請求の範囲】
【請求項１】
映像を入力する入力手段と、
前記入力された映像から映像情報を取得する映像情報取得手段と、
前記取得された映像情報に基づいて推奨撮影時間を取得する
推奨撮影時間取得手段と、
前記取得された推奨撮影時間に基づく情報を提示する提示手段と
を備えることを特徴とする映像処理装置。
【請求項２】
前記映像情報とは、前記映像入力手段によって入力された映像の情報量であることを特徴とする請求項１に記載の映像処理装置。
【請求項３】
前記映像の情報量とは、映像中の顔の数に基づいて取得されることを特徴とする請求項２に記載の映像処理装置。
【請求項４】
前記映像の情報量とは、映像中の色数に基づいて取得されることを特徴とする請求項２に記載の映像処理装置。
【請求項５】
前記映像情報とは、前記映像入力手段によって入力された映像の被写体のサイズであることを特徴とする請求項１に記載の映像処理装置。
【請求項６】
撮影動作が固定されているかどうかを判断する固定判断手段と、
前記固定判断手段によって固定されていると判断された場合に、前記推奨撮影時間取得手段は、前記推奨撮影時間の取得を開始することを特徴とする請求項１に記載の映像処理装置。
【請求項７】
前記提示手段は、前記推奨撮影時間取得手段によって取得された推奨撮影時間をグラフィカルに提示することを特徴とする請求項１に記載の映像処理装置。
【請求項８】
映像処理装置の制御方法であって、
入力手段により、映像を入力するステップと、
映像情報取得手段により、前記入力された映像から映像情報を取得するステップと、
推奨撮影時間取得手段により、前記取得された映像情報に基づいて推奨撮影時間を取得するステップと、
提示手段により、前記取得された推奨撮影時間に基づく情報を提示させるステップと
を備えることを特徴とする制御方法。
【請求項９】
コンピュータに読み込み込ませることで、請求項８に記載の映像処理装置の制御方法をコンピュータに実行させるためのプログラム。
【請求項１０】
請求項９に記載のコンピュータプログラムを記憶したことを特徴とするコンピュータ可読記憶媒体。
【発明の詳細な説明】
【技術分野】
【０００１】
本発明は、動画像を処理する技術に関する。
【背景技術】
【０００２】
近年、家庭用デジタルビデオカメラの普及に加え、デジタル一眼レフカメラに動画撮影機能が追加されるなど、デジタル動画を撮影する機会が増えている。
【０００３】
一般に、撮影したままの動画を視聴することは退屈である。そのため、撮影した動画や静止画等の素材映像を集めて編集し、視聴に耐えうる編集後映像を作成する必要がある。このとき、映像に応じてカットの再生時間を変化させることで、編集後映像を観やすくできる。例えば、カットの再生時間は、映像の情報量が多いほど長くすることが望ましい。映像の情報量が多いほど、視聴者が映像の内容を理解するために多くの時間を要するためである。
【０００４】
映像に応じてカットの再生時間を変化させる作業は、一般にはユーザが手作業で行うが、自動で行うシステムも存在する。
【０００５】
例えば、特許文献１に公開されている方法によれば、スライドショーの再生時、画像内の人物の数が多いほど再生時間を短くする。これにより、主役の写っている画像を長い時間表示することを可能にしている。
【０００６】
また、特許文献２に公開されている方法によれば、電子アルバムの自動ページ送りにおいて、画像内のアルバムのページに含まれる画像の枚数や動画の時間に応じて、ページの再生時間を変化させる。これにより、情報量が多いページの再生時間を長くすることを可能にしている。
【０００７】
これらの方法を応用することで、映像の編集時に、映像に応じてカットの再生時間を変化させることが容易に可能となる。
【先行技術文献】
【特許文献】
【０００８】
【特許文献１】特開２００６−２４５６４６号公報
【特許文献２】特開２００２−１５７２７５号公報
【発明の概要】
【発明が解決しようとする課題】
【０００９】
上記の方法を利用するためには、予め十分な長さの素材映像を撮影しておくことが必要となる。
【００１０】
しかしながら、撮影時に、撮影している映像の、編集時に必要となる長さを判断することは、ユーザにとって非常に困難である。そのため、ユーザが必要な長さの映像を撮り忘れてしまうという問題が発生する。全ての映像を長めに撮影しておいても良いが、その場合には、編集時に使用しない余分な映像が記憶容量を圧迫し、トータルの記録時間が短くなってしまうという問題が発生する。
【００１１】
本発明は、上記の問題を鑑みて、ユーザに、編集時に最低限必要な長さを容易に知らせることができる映像処理装置を提供することを目的としている。
【課題を解決するための手段】
【００１２】
上記の目的を達成するための本発明の一態様による映像処理装置は以下の構成を備える。すなわち、映像を入力する映像入力手段と、前記映像入力手段によって入力された映像から映像情報を取得する映像情報取得手段と、前記映像情報取得手段によって取得された映像情報に基づいて推奨撮影時間を取得する推奨撮影時間取得手段と、前記推奨撮影時間取得手段によって取得された推奨撮影時間に基づく情報を提示する提示手段とを備える。
【発明の効果】
【００１３】
本発明によれば、撮影している映像の映像情報から、ユーザに、編集時に最低限必要な長さを容易に知らせることができるようになる。
【図面の簡単な説明】
【００１４】
【図１】映像処理装置の概略を示す図
【図２】映像処理装置の外観を示す図
【図３】機能構成を示すブロック図である。
【図４】ユーザが撮影を開始した際の処理の流れを示すフローチャート
【図５】映像撮影時のユーザ動作とビデオカメラ動作の対応を示す図
【図６】推奨撮影時間と固定撮影持続時間の表示例を示す図
【図７】映像の情報量と推奨撮影時間の対応表の例を示す図
【図８】推奨撮影時間を取得する処理の流れを示すフローチャート
【図９】顔の数による情報量を算出する処理の流れを示すフローチャート
【図１０】色数による情報量を算出する処理の流れを示すフローチャート
【発明を実施するための形態】
【００１５】
以下、本発明の好適な実施形態について添付の図面を参照して詳細に説明する。
【００１６】
［第１実施形態］
図１は、本実施形態を実現する映像処理装置の概略を示した図である。
【００１７】
撮像部１０１は、ズームレンズ、フォーカスレンズ，ぶれ補正レンズ，絞り，シャッター，光学ローパスフィルタ，ｉＲカットフィルタ，カラーフィルタ，及びＣＭＯＳやＣＣＤなどのセンサなどから構成され、被写体の光量を検知する。
【００１８】
Ａ／Ｄ変換部１０２は、被写体の光量をデジタル値に変換する。信号処理部１０３は、上記デジタル値にデモザイキング処理，ホワイトバランス処理，ガンマ処理などを行い、デジタル画像を生成する。Ｄ／Ａ変換部１０４は、上記デジタル画像に対しアナログ変換を行う。
【００１９】
エンコーダ部１０５は、上記デジタル画像をＪＰＥＧ，ＭＰＥＧ，Ｈ．２６４などのファイルフォーマットに変換する処理を行う。メディアインターフェース１０６は、映像処理装置をＰＣやその他メディア（例えば、ハードディスク，メモリーカード，ＣＦカード，ＳＤカード，ＵＳＢメモリ）につなぐためのインターフェースである。
【００２０】
ＣＰＵ１０７は、各構成の処理全てに関わり、ＲＯＭ１０８やＲＡＭ１０９に格納された命令を順に読み込み、解釈し、その結果に従って処理を実行する。また、ＲＯＭ１０８とＲＡＭ１０９は、その処理に必要なプログラム，データ，作業領域などをＣＰＵ１０７に提供する。後述する各処理も、ＲＯＭ、ＲＡＭに格納されている処理プログラムを読み込み、ＣＰＵ１０７で実行される。
【００２１】
撮像系制御部１１０は、フォーカスを合わせる，シャッターを開く，絞りを調節するなどの、ＣＰＵ１０７から指示された撮像系の制御を行う。
【００２２】
操作部１１１は、ボタンやモードダイヤルなどが該当し、これらを介して入力されたユーザ指示を受け取る。レンズのズームなどの指示も、操作部１１１を介して行うことができる。キャラクタージェネレータ１１２は、文字やグラフィックなどを生成する。
【００２３】
表示部１１３は、一般的には液晶ディスプレイが広く用いられており、キャラクタージェネレーション部１１０やＤ／Ａ変換部１０４から受け取った撮影画像や文字の表示を行う。また、タッチスクリーン機能を有していても良く、その場合は、ユーザ指示を操作部１１１の入力として扱うことも可能である。
【００２４】
動き検出部１１４は、公知の３軸の加速度センサや角速度センサなどから構成され、映像処理装置にかかる動きに関する情報（傾き，動きの方向，加速度など）を検出する。
【００２５】
なお、装置の構成要素は上記以外にも存在するが、本発明の主眼ではないので、説明を省略する。
【００２６】
また、本発明の構成要素は、複数の機器（例えばホストコンピュータ，インターフェース機器，リーダ，プリンタなど）から構成されるシステムに適用しても、一つの機器からなる装置（例えば、カメラ，複写機，ファクシミリ装置など）に適用しても良い。
【００２７】
本発明の目的は、前述した実施形態の機能を実現するソフトウェアのプログラムコードを記録した記憶媒体を、システムあるいは装置に供給し、そのシステムが記憶媒体に格納されたプログラムコードを読み出し実行することによっても達成される。
【００２８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のデータ保存部，ＲＯＭなどを用いることが出来る。
【００２９】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行う。さらに、その処理によって前述した実施形態の機能が実現される場合も含まれることは言うまでもない。
【００３０】
さらに、記憶媒体から読み出されたプログラムコードが、コンピュータに挿入された機能拡張ボードやコンピュータに接続された機能拡張ユニットに備わるデータ保存部に書き込まれる。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００３１】
本実施形態では、上記映像処理装置の一形態として、ビデオカメラを例にとって説明する。
【００３２】
図２は、本実施形態における映像処理装置であるビデオカメラの外観を示す図である。
【００３３】
ボタン２０１は、撮影開始・終了を指示するためのボタンである。撮影が行われていない状態でボタン２０１が押下されると、映像の撮影を開始する。撮影が行われている状態でボタン２０１が押下されると、撮影を終了する。
【００３４】
ディスプレイ２０２は、各種情報を表示するためのディスプレイである。図１における表示部１１３に相当する。撮影中の映像に加え、文字やグラフィックなどを表示することができる。ここでは映像とは主に動画のことを指すが、静止画も撮影可能なものであってもよい。
【００３５】
図３は、本実施形態における機能構成を示すブロック図である。映像処理装置３０１には、映像入力部３０２、処理部３０３、映像情報取得部３０４、推奨映像時間取得部３０５、提示部３０６を備える。なお、処理部３０３は、図１のＣＰＵ１０７に相当する。また、提示部３０６は、図１の表示部１１３、図２のディスプレイ２０２に相当する。
【００３６】
映像入力部３０２で映像が入力されると、映像情報取得部３０４が入力された映像から必要な情報を取得し、取得した情報から、推奨映像時間取得部３０５が推奨時間を取得し、取得された推奨時間を提示部３０６が提示する。
【００３７】
図４は、本実施形態のビデオカメラにおいて、ユーザがボタン２０１を押下して撮影を開始した際の処理の流れを示すフローチャートである。また、ユーザの撮影動作とビデオカメラの動作の対応を、図５に示す。なお、図４におけるＳ＊＊＊のそれぞれは、所定工程（ステップ）に該当する。Ｓ４０１では、フラグＦに０を代入する。Ｓ４０２では、ユーザの撮影動作が固定されているかどうかを判断する。ユーザの撮影動作が固定されているかどうかは、操作部１１１の入力情報と、動き検出部１１４より取得できるビデオカメラの動きに関する情報とから判断する。
【００３８】
本実施形態では、操作部１１１からの入力情報がなく、かつ、ビデオカメラにかかる動きがない場合に、ユーザの撮影動作が固定されていると判断する。ただし、ビデオカメラにかかる動きを判断する際には、手ぶれ等による微量な動きは無視するものとする。ユーザの撮影動作が固定されていると判断されれば、Ｓ４０３へ進む。それ以外であれば、Ｓ４０５へ進む。
【００３９】
Ｓ４０３では、フラグＦの値をチェックする。Ｆ＝０であれば、Ｓ４０４へ進む。それ以外であれば、Ｓ４０８へ進む。Ｓ４０４では、フラグＦに１を代入する。Ｓ４０５では、フラグＦに０を代入する。
【００４０】
Ｓ４０６では、現在の時間Ｔ０を取得する。Ｔ０は、撮影ボタンを押下した瞬間から経過した秒数で表されるものとする。Ｓ４０７では、撮影している映像の内容から、推奨撮影時間Ｔを取得する。推奨撮影時間Ｔは、後の編集で使用するために最低限必要となる時間（秒）である。推奨撮影時間Ｔを取得する方法は、図８を用いて後述する。
【００４１】
Ｓ４０８では、現在の時間Ｔ１を取得する。Ｔ１は、撮影ボタンを押下した瞬間から経過した秒数で表されるものとする。Ｓ４０９では、固定撮影持続時間Ｔｋを取得する。Ｔｋは、ユーザの撮影動作が固定されていると判断されてから経過した時間（秒）であり、次の式により算出する。
【００４２】
Ｔｋ  ＝  Ｔ１  −  Ｔ０    …（１）
Ｓ４１０では、Ｓ４０７で取得した推奨撮影時間Ｔと、Ｓ４０９で取得した固定撮影持続時間Ｔｋを、ディスプレイ２０２に表示する。表示は、例えば、図６に示すように行う。図６では、推奨撮影時間Ｔが最大値となるようなメータを作成し、メータ上に固定撮影持続時間Ｔｋを表すことで、推奨撮影時間Ｔと固定撮影持続時間Ｔｋの関係をグラフィカルに表示している。
【００４３】
また、現在の撮影時間の達成度を、メッセージとして％表示するようにしてもよい。
【００４４】
Ｓ４１１では、ユーザによりボタン２０１が押下されたかどうかを判断する。ボタン２０１が押下されたと判断されれば、Ｓ４１２へ進む。それ以外の場合は、Ｓ４０２へ進む。
【００４５】
Ｓ４１２は、ビデオカメラの撮影動作を終了し、撮影された映像を保存する。
【００４６】
尚、上記説明では、撮影動作が固定されていると固定判断された場合に、固定をトリガに撮影時間の取得の開始のタイミングとしたが、シーンチェンジを検出して、シーンの変わり目から撮影時間を求めてもよい。
【００４７】
（推奨撮影時間取得処理）
ここでは、図４のＳ４０７で行う、推奨撮影時間の取得の詳細について説明する。
【００４８】
本実施形態では、推奨撮影時間を判断するために、まず、映像の内容を解析して映像の情報量Ｉを算出する。情報量Ｉは、０〜１の間の値で表されるものとする。また、情報量Ｉと推奨撮影時間Ｔが対応付けて保存されたデータベースを予め用意しておき、算出した情報量Ｉをキーにして、推奨撮影時間Ｔを取得する。データベースの例を図７に示す。情報量の算出方法は後述する。
【００４９】
図８は、本実施形態における推奨撮影時間を取得する際の処理の流れを示すフローチャートである。
【００５０】
Ｓ８０１では、情報量Ｉに０を代入する。Ｓ８０２では、映像中の顔の数を元にした情報量ＩＦを算出する。ＩＦは、０〜１の間の値で表されるものとする。情報量ＩＦの算出方法については、図９を用いて後述する。
【００５１】
Ｓ８０３では、映像中の色数を元にした情報量ＩＣを算出する。ＩＣは、０〜１の間の値で表されるものとする。情報量ＩＣの算出方法については、図１０を用いて後述する。
【００５２】
Ｓ８０４では、映像の情報量Ｉを算出する。情報量Ｉは、ＩＦ，ＩＣを用いて、次のように算出される。ここで、ａ，ｂは、それぞれ、ＩＦ，ＩＣに対する重み付けの値であり、ａ＋ｂ＝２  となるように任意の値を設定する。本実施形態では、ａ＝ｂ＝１  であるとする。
【００５３】
Ｉ  ＝  （  ａ・ＩＦ  ＋  ｂ・ＩＣ    ）／２  …（２）
Ｓ８０５では、情報量Ｉをキーにして、図７に示すデータベースから推奨撮影時間を取得する。
【００５４】
図９は、図８のＳ８０２における、顔の数を元にした情報量ＩＦを算出する処理の流れを示すフローチャートである。
【００５５】
なお、以下の処理は、静止画像に対して行うものとする。処理の対象となる画像は、ビデオカメラで撮影される映像の１フレームを選択して使用する。また、映像の複数フレームから１枚の画像を作成し、処理の対象としても良い。
【００５６】
Ｓ９０１では、ＩＦに０を代入する。Ｓ９０２では、画像中の顔の数ＮＦを取得する。画像中の顔領域の検出は、公知の方法に従う。例えば、特開平０９−２５２５３４号公報には、予め登録された標準顔画像（テンプレート）を用いて顔領域を抽出する技術が開示されている。特開平０９−２５２５３４号公報は、更に、抽出された顔領域の中から眼球（黒目）や鼻穴などの特徴点の候補を抽出し、これらの配置や予め登録されている目、鼻、口領域などのテンプレートとの類似度から目、鼻、口等の顔部品を検出する技術が開示されている。
【００５７】
Ｓ９０３では、顔の数の最大値ＮＦ，ＭＡＸに値を代入する。ＮＦ，ＭＡＸには、１以上の任意の値を代入する。本実施形態では、ＮＦ，ＭＡＸは１０であるとする。Ｓ９０４では、ＮＦとＮＦ，ＭＡＸの値を比較する。ＮＦ＞ＮＦ，ＭＡＸであれば、Ｓ９０５へ進む。それ以外であれば、Ｓ９０６へ進む。Ｓ９０５では、ＩＦに１．０を代入する。Ｓ９０６では、ＩＦに（ＮＦ／ＮＦ，ＭＡＸ）を代入する。
【００５８】
図１０は、図８のＳ８０３における、色数を元にした情報量ＩＣを算出する処理の流れを示すフローチャートである。
【００５９】
なお、以下の処理は、静止画像に対して行うものとする。処理の対象となる画像は、ビデオカメラで撮影される映像の１フレームを選択して使用する。また、映像の複数フレームから１枚の画像を作成し、処理の対象としても良い。
【００６０】
画像の各画素には、色情報として、Ｒ，Ｇ，Ｂの３チャンネルの値が各８ビットで格納されているものとする。したがって、Ｒ，Ｇ，Ｂはそれぞれ０〜２５５の範囲の値をとる。
【００６１】
また、画像の各画素には、画像の左下を原点とし、右方向に＋ｘ，上方向に＋ｙとなる座標系でアクセスできるものとする。この座標系において、ｒ（ｉ，ｊ），ｇ（ｉ，ｊ），ｂ（ｉ，ｊ）は、ｘ＝ｉ，ｙ＝ｊの位置の画素におけるＲ，Ｇ，Ｂの値をそれぞれ表すものとする。
【００６２】
また、画像の幅をＷ，画像の高さをＨで表すものとする。
【００６３】
Ｓ１００１では、ＩＣに０を代入する。Ｓ１００２では、２５６×２５６×２５６  の３次元配列ＦＬＧのバッファを作成する。ＦＬＧ［ｒ］［ｇ］［ｂ］のように表記することで、配列の任意の位置にアクセスできるものとする。Ｓ１００３では、３次元配列ＦＬＧの全ての位置に０を代入する。
【００６４】
Ｓ１００４では、変数ｊに０を代入する。Ｓ１００５では、変数ｉに０を代入する。Ｓ１００６では、ＦＬＧ［ｒ（ｉ，ｊ）］［ｇ（ｉ，ｊ）］［ｂ（ｉ，ｊ）］の値をチェックする。ＦＬＧ［ｒ（ｉ，ｊ）］［ｇ（ｉ，ｊ）］［ｂ（ｉ，ｊ）］の値が０であれば、Ｓ１００７へ進む。それ以外であれば、Ｓ１００８へ進む。
【００６５】
Ｓ１００７では、ＦＬＧ［ｒ（ｉ，ｊ）］［ｇ（ｉ，ｊ）］［ｂ（ｉ，ｊ）］に１を代入する。Ｓ１００８では、変数ｉに１を加算する。Ｓ１００９では、変数ｉとＷの値を比較する。ｉ＞Ｗであれば、Ｓ１０１０へ進む。それ以外であれば、Ｓ１００６へ進む。Ｓ１０１０では、変数ｊに１を加算する。
【００６６】
Ｓ１０１１では、変数ｊとＨの値を比較する。ｊ＞Ｈであれば、Ｓ１０１２へ進む。それ以外であれば、Ｓ１００５へ進む。Ｓ１０１２では、画像の色数ＮＣを取得する。画像の色数ＮＣは、３次元配列ＦＬＧの全位置の値を足し合わせた値である。Ｓ１０１３では、色数の最大値ＮＣ，ＭＡＸに値を代入する。ＮＣ，ＭＡＸには、１〜１６７７７２１６の間の任意の値を代入する。本実施形態では、ＮＣ，ＭＡＸは１０００であるとする。
【００６７】
Ｓ１０１４では、ＮＣとＮＣ，ＭＡＸの値を比較する。ＮＣ＞ＮＣ，ＭＡＸであれば、Ｓ１０１５へ進む。それ以外であれば、Ｓ１０１６へ進む。Ｓ１０１５では、ＩＣに１．０を代入する。Ｓ１０１６では、ＩＣに（ＮＣ／ＮＣ，ＭＡＸ）を代入する。
【００６８】
なお、以上の例では、各々の画素が色情報としてＲ，Ｇ，Ｂの３チャンネルの値を各８ビットで持っているものとした。しかし、他の形式で色情報を持っていても良い。例えば、Ｒ，Ｇ，Ｂの３チャンネルの値を各１６ビットで持っている場合には、それぞれの値の範囲は０〜６５５３５となり、３次元配列ＦＬＧも  ６５５３５×６５５３５×６５５３５  のバッファを作成する。また、チャンネル数が増えた場合には、ＦＬＧの次元数が増える。
【００６９】
また、上記の例では、画像の１画素ごとの色をカウントしていった。しかし、画像を複数ブロックに分割し、ブロック毎の色をカウントしても良い。例えば、２０×２０ピクセルのブロック毎に平均の色を求めてカウントしていっても良い。
【００７０】
以上のように、本実施形態では、図８を用いて説明したように、映像情報として、映像の情報量を用いて、編集時に最低限必要となる映像の長さを判断して推奨撮影時間を取得し、ユーザに呈示する。これにより、ユーザに、映像毎に、編集時に最低限必要な長さを容易に知らせることができるようになる。更に、余分な映像を撮影することによる記憶容量の圧迫を削減することができるようになる。
【００７１】
なお、本実施形態では、映像の情報量を算出する際に、映像中の顔の数と色数を用いたが、他の項目を用いても良い。例えば、画像を周波数解析し、高周波成分の数を用いて映像の情報量を算出するようにしても良い。また、オブジェクトを検出して、オブジェクトの数を用いてもよい。
【００７２】
また、本実施形態では、取得した推奨撮影時間は、情報としてユーザに提示するのみであったが、他の動作を加えても良い。例えば、固定撮影持続時間が推奨撮影時間を越えたら、強制的に撮影を終了するようにしても良い。
【００７３】
なお、上記実施形態では、映像の情報量から推奨撮影時間を取得したが、本発明はこれに限らない。例えば、映像情報として、顔のサイズが表示画面に対して大きいほど推奨撮影時間を長くすることも有効である。これによれば、顔のアップがあった場合に、長時間表示することができる。
【００７４】
以上より、映像情報として、顔のサイズを用いて推奨撮影時間を取得し、ユーザに提示することで、ユーザに、映像毎に、編集時に最低限必要な長さを容易に知らせることができるようになる。
【００７５】
以上の実施形態によれば、映像情報から推奨撮影時間を取得し、ユーザに提示することで、ユーザに、映像毎に、編集時に最低限必要な長さを容易に知らせることができるようになる。
【図１】
2013055408.tif 000003
【図２】
2013055408.tif 000004
【図３】
2013055408.tif 000005
【図４】
2013055408.tif 000006
【図５】
2013055408.tif 000007
【図６】
2013055408.tif 000008
【図７】
2013055408.tif 000009
【図８】
2013055408.tif 000010
【図９】
2013055408.tif 000011
【図１０】
2013055408.tif 000012